(57)【要約】【課題】著作権保護情報に左右されずに確実に録画を行える記録再生装置を提供する。【解決手段】ＤＶＤ記録／再生部５による放送番組の録画時に設定された記録形式を、著作権保護情報検出手段８ｂにより検出された著作権保護情報と比較し、設定された記録形式が放送番組の録画に適しているかを判別し、適さない場合、記録形式を適しているものに強制的に変更する。また、セットされたＤＶＤに既にデータが存在する場合、そのデータをＨＤＤ記録／再生部６にコピーし、ＤＶＤを初期化した後録画することにより、ユーザが所望の放送番組を記録する領域を確保することができる。【選択図】図１
2007096864.tif 000002
【特許請求の範囲】
【請求項１】
記録媒体に対するデータの読み出し書き込みを行う記録／再生手段と、前記記録媒体に記憶する際、異なる記録形式を選択する記録形式選択手段と、放送番組を録画するための録画手段と、前記放送番組の著作権保護情報を検出する著作権保護情報検出手段とから成り、前記録画手段により録画を開始する際、前記著作権保護情報検出手段により著作権保護情報に基づいて前記記録形式選択手段で指定された記録形式により録画が可能かどうかを判別し、録画不可の場合には録画可能な記録形式へと強制的に切り換える制御手段を設けたことを特徴とする記録再生装置。
【請求項２】
前記著作権保護情報検出手段により前記放送番組に付加された著作権保護情報が録画不可（コピーネバー）、1回のコピーを認める情報（コピーワンス）、録画制限のない情報（コピーフリー）であるかを検出し、その著作権保護情報に基づいて前記制御手段によって記録形式を切り換えるように構成したことを特徴とする請求項１に記載の記録再生装置。
【請求項３】
前記記録再生装置は、放送信号若しくはネットワーク上より放送番組情報を取得する放送番組情報取得手段と、前記放送番組情報から放送番組を選択して前記記録／再生手段の録画動作を予約する予約手段を備え、前記制御手段は、前記放送番組情報より放送番組を選択して前記予約手段により録画予約を行う際に、前記放送番組情報に含まれる放送番組に対する著作権保護情報を前記著作権保護情報検出手段によって検出し、該著作権保護情報に対して前記記録形式選択手段によりユーザが指定した記録形式が異なる場合、著作権保護情報に対応した記録形式へと強制的に切り換えて録画予約を行うことを特徴とする請求項１又は２記載の記録再生装置。
【請求項４】
前記記録再生装置は、それぞれが記録媒体に対するデータの読み出し書き込みを行う複数種類の記録／再生手段を備え、ユーザが所望のデータの記録を行う際、ユーザが指定した前記記録／再生手段が有する記録媒体の記憶領域が、既に記憶されたデータのため、前記ユーザが所望のデータの全てを記録するに足りない場合、前記既に記憶されたデータを、ユーザが指定した前記記録／再生手段以外の前記記録／再生手段が有する記録媒体に退避させると共に、前記ユーザが指定した記録／再生手段が有する記録媒体の初期化を行うことを特徴とする請求項１から３の何れか１項に記載の記録再生装置。
【発明の詳細な説明】
【技術分野】
【０００１】
本発明は、著作権保護情報が付加された放送番組の記録を確実に行うことができる記録再生装置に関する。
【背景技術】
【０００２】
従来の放送番組の録画が可能な記録再生装置において、録画時または録画予約時において、著作権保護情報を検出し、著作権保護情報に基づき、ユーザが行った録画予約設定では録画に失敗すると判別した場合、記録媒体や装置を変更して録画を行う様々な方法が開示されている。
【０００３】
例えば、特許文献１では、複数の記録／再生部を有し、それぞれに録画優先順位を設け、検出した著作権保護情報がコピーワンス（１回のみ記録可能）である場合に、前記録画優先順位に基づいて記録／再生部を選択し、録画を行う方法を開示している。
【０００４】
また、特許文献２では、ＨＤＤ（Ｈａｒｄ  Ｄｉｓｋ  Ｄｉｖｅ）と着脱可能な記録媒体に記録する記録ドライブを備え、著作権保護情報により保護された放送番組は記録ドライブを用い、それ以外はＨＤＤを用いて録画を行う方法を開示している。
【０００５】
【特許文献１】特開２００３−１６９２７９号公報
【特許文献２】特開２００４−２８０９７７号公報
【発明の開示】
【発明が解決しようとする課題】
【０００６】
しかしながら、特許文献１及び特許文献２の方法では、ユーザが指定した記録媒体若しくは記録／再生装置とは異なるものに録画が行われてしまい、その後のユーザの使用用途を著しく制限してしまう虞がある。
【０００７】
本発明は上記課題を鑑みてなされたものであり、著作権保護情報に左右されずに、確実に所望の映像を録画することができる記録再生装置を提供することを第１の目的とし、記録媒体などの空き領域に左右されずに確実に所望の映像を録画することができる記録再生装置を提供することを第2の目的とする。
【課題を解決するための手段】
【０００８】
請求項１に係る記録再生装置は、記録媒体に対するデータの読み出し書き込みを行う記録／再生手段と、前記記録媒体に記憶する際、複数の異なる記録形式から選択する記録形式選択手段と、放送番組を録画するための録画手段と、前記放送番組の著作権保護情報を検出する著作権保護情報検出手段とから成り、前記録画手段により録画を開始する際、前記著作権保護情報検出手段により著作権保護情報に基づいて前記記録形式選択手段で指定された記録形式により録画が可能かどうかを判別し、録画不可の場合には録画可能な記録形式へと強制的に切り換える制御手段を設けたことを特徴とする著作権保護情報。
【０００９】
請求項１の構成によれば、複数の異なる記録形式を有し、これらの記録形式から記録形式選択手段により所望の記録形式を選択して録画を行う記録再生装置において、ユーザが所望の放送番組を録画手段により録画する際に、著作権保護情報検出手段により著作権保護情報が検出され、更にユーザが選択した記録形式が録画に適さないと判別された場合、録画失敗防止のために、制御手段により記録形式を、録画に適したものに強制的に変更させ、録画を行うことができる。
【００１０】
請求項２に係る記録再生装置は、請求項１に記載の記録再生装置において、前記著作権保護情報検出手段により前記放送番組に付加された著作権保護情報が録画不可（コピーネバー）、1回のコピーを認める情報（コピーワンス）、録画制限のない情報（コピーフリー）であるかを検出し、その著作権保護情報に基づいて前記制御手段によって記録形式を切り換えるように構成したことを特徴とする。
【００１１】
請求項２の構成によれば、著作権保護情報検出手段により、検出される著作権保護情報の種類により、設定された記録形式が録画に適したものかをより的確に判別することができる。
【００１２】
請求項３に係る記録再生装置は、請求項１又は２に記載の記録再生装置において、前記記録再生装置は、放送信号若しくはネットワーク上より放送番組情報を取得する放送番組情報取得手段と、前記放送番組情報から放送番組を選択して前記記録／再生手段の録画動作を予約する予約手段を備え、前記制御手段は、前記放送番組情報より放送番組を選択して前記予約手段により録画予約を行う際に、前記放送番組情報に含まれる放送番組に対する著作権保護情報を前記著作権保護情報検出手段によって検出し、該著作権保護情報に対して前記記録形式選択手段によりユーザが指定した記録形式が異なる場合、著作権保護情報に対応した記録形式へと強制的に切り換えて録画予約を行うことを特徴とする。
【００１３】
請求項３の構成によれば、事前に放送番組情報取得手段により放送番組情報を取得し、該放送番組情報からユーザが所望の放送番組を選択することで録画予約を行うことができ、著作権保護情報検出手段は、ユーザが録画予約を所望する放送番組の著作権保護情報を放送番組情報から検出することができ、検出された著作権保護情報により適切な記録形式に変更することができる。
【００１４】
請求項４に係る記録再生装置は、請求項１から３の何れか１項に記載の記録再生装置において、前記記録再生装置は、それぞれが記録媒体に対するデータの読み出し書き込みを行う複数種類の記録／再生手段を備え、ユーザが所望のデータの記録を行う際、ユーザが指定した前記記録／再生手段が有する記録媒体の記憶領域が、既に記憶されたデータのため、前記ユーザが所望のデータの全てを記録するに足りない場合、前記既に記憶されたデータを、ユーザが指定した前記記録／再生手段以外の前記記録／再生手段を有する記録媒体に退避させると共に、前記ユーザが指定した記録／再生手段を有する記録媒体の初期化を行うことを特徴とする。
【００１５】
請求項４の構成によれば、ユーザが所望の放送番組の録画を、記録媒体に対して行う際に、記録媒体の空き領域が、録画データよりも少ない場合に、ユーザ指定の記録媒体に記憶されているデータを、別の記録媒体に退避させ、ユーザ指定の記録媒体を初期化することにより、十分な記憶領域を確保することができる。
【発明の効果】
【００１６】
請求項１に係る記録再生装置は、記録媒体に対するデータの読み出し書き込みを行う記録／再生手段と、前記記録媒体に記憶する際、複数の異なる記録形式から選択する記録形式選択手段と、放送番組を録画するための録画手段と、前記放送番組の著作権保護情報を検出する著作権保護情報検出手段とから成り、前記録画手段により録画を開始する際、前記著作権保護情報検出手段により著作権保護情報に基づいて前記記録形式選択手段で指定された記録形式により録画が可能かどうかを判別し、録画不可の場合には録画可能な記録形式へと強制的に切り換える制御手段を設けたので、ユーザが指定した記録形式が著作権保護情報に対応していないことによる録画の失敗を防止することができ、ユーザが所望の放送番組を確実に録画することができる。
【００１７】
請求項２に係る記録再生装置は、請求項１に記載の記録再生装置において、前記著作権保護情報検出手段により前記放送番組に付加された著作権保護情報が録画不可（コピーネバー）、1回のコピーを認める情報（コピーワンス）、録画制限のない情報（コピーフリー）であるかを検出し、その著作権保護情報に基づいて前記制御手段によって記録形式を切り換えるように構成したので、ユーザが設定した記録形式と録画を行う放送番組の著作権保護情報の種類を比較し、適切な記録形式の選択を行うことができる。
【００１８】
請求項３に係る記録再生装置は、請求項１又は２に記載の記録再生装置において、前記記録再生装置は、放送信号若しくはネットワーク上より放送番組情報を取得する放送番組情報取得手段と、前記放送番組情報から放送番組を選択して前記記録／再生手段の録画動作を予約する予約手段を備え、前記制御手段は、前記放送番組情報より放送番組を選択して前記予約手段により録画予約を行う際に、前記放送番組情報に含まれる放送番組に対する著作権保護情報を前記著作権保護情報検出手段によって検出し、該著作権保護情報に対して前記記録形式選択手段によりユーザが指定した記録形式が異なる場合、著作権保護情報に対応した記録形式へと強制的に切り換えて録画予約を行うので、入手した放送番組情報からユーザが所望の放送番組の録画を予約した際に、当該放送番組の著作権保護情報を放送番組情報から検出することができ、この時、ユーザが指定した記録形式が選択した放送番組の録画に適していない場合でも、事前に著作権保護情報に対応した記録形式に強制変更して録画を行うことができ、確実に記録媒体への録画を行うことができる。
【００１９】
請求項４に係る記録再生装置は、請求項１〜３の何れか１項に記載の記録再生装置において、前記記録再生装置は、それぞれが記録媒体に対するデータの読み出し書き込みを行う複数種類の記録／再生手段を備え、ユーザが所望のデータの記録を行う際、ユーザが指定した前記記録／再生手段が有する記録媒体の記憶領域が、既に記憶されたデータのため、前記ユーザが所望のデータの全てを記録するに足りない場合、前記既に記憶されたデータを、ユーザが指定した前記記録／再生手段以外の前記記録／再生手段が有する記録媒体に退避させると共に、前記ユーザが指定した記録／再生手段が有する記録媒体の初期化を行うので、ユーザが選択した記録媒体による放送番組の録画の際に、記録媒体の空き容量不足による録画の失敗を防止し、確実にユーザが所望の放送番組の、ユーザが所望の記録媒体への録画を行うことができる。
【発明を実施するための最良の形態】
【００２０】
以下、本発明を実施するための最良の形態としての実施例を図１から図３を参照して説明する。もちろん、本発明は、その発明の趣旨に反さない範囲で、実施例において説明した以外のものに対しても容易に適用可能なことは説明を要するまでもない。
【実施例】
【００２１】
図１〜図３は、本発明の実施例を示し、図１は、本実施例の記録再生装置の構成を示すブロック図である。図２は、記録再生装置の録画時の動作を示すフローチャート図であり、図３は記録再生装置のＥＰＧ（電子番組表）に基づく予約設定時の動作を示すフローチャート図である。
【００２２】
本実施例における記録再生装置の構成について、図１に基づいて説明する。１は記録再生装置である。２は放送信号を受信するためのチューナであり、３はインターネットと接続するためのネットワークインターフェイス（Ｉ／Ｆ）である。４は映像／音声データの処理を行う映像／音声処理部であり、５はＤＶＤ（Ｄｉｇｉｔａｌ  Ｖｉｒｓａｔｉｌｅ  Ｄｉｓｋ）に記憶されるデータの読み出し及びＤＶＤへのデータの書き込みを行うＤＶＤ記録／再生部である。６はＨＤＤ（Ｈａｒｄ  Ｄｉｓｋ  Ｄｒｉｖｅ）に記憶されるデータの読み出し及びＨＤＤへのデータの書き込みを行うＨＤＤ記録／再生部である。７は、チューナで受信した放送信号から若しくはネットワーク上からネットワークＩ／Ｆ３を経由してＥＰＧ（電子番組表＝放送番組情報）を取得し、個々の情報に分解するＥＰＧ取得／データスライサ部である。８は記録再生装置１の動作全般を制御するＣＰＵである。ＣＰＵ８は、その内部に映像／音声の記録形式を選択する記録形式選択手段８ａ、放送信号やＥＰＧ取得／データスライサ部から得られるデータから著作権保護情報を検出する著作権保護情報検出手段８ｂ、ＤＶＤ記録／再生部５若しくはＨＤＤ記録／再生部６への録画を行う録画手段８ｃ、放送番組を事前に予約するための予約手段８ｄを有する。９はＥＰＧや予約手段８ｄにより生成される予約情報、その他記録再生装置１の動作に必要な情報を記憶する不揮発性メモリである。以降、著作権保護対応の記録形式をＶＲモード、未対応の記録形式をＶｉｄｅｏモードと呼ぶ。１０はチューナ２により受信した放送番組やＤＶＤ記録／再生部５若しくはＨＤＤ記録／再生部６に記憶された映像／音声を出力する映像出力部である。
【００２３】
次に、録画時の記録再生装置１の動作を、図２に基づいて説明する。設定された録画予約設定に従い、録画を開始する（Ｓ１００１）。受信した放送番組に著作権保護情報が存在するかを著作権保護情報検出手段８ｂにより検出する（Ｓ１００２）。ここで、著作権保護情報が検出されない若しくはコピーフリー（録画制限無し）の場合は、そのまま録画を続行する（Ｓ１００３）。ステップＳ１００２にて著作権保護情報が検出された場合、それがコピーワンス制限であるかを判別する（Ｓ１００４）。コピーワンス制限では無い場合、コピーネバー（録画不可）であることを示すため、この場合は録画を中止する（Ｓ１０１３）。ステップＳ１００４にてコピーワンス（１回のみ録画可能）と判別された場合、事前に指定された記録形式により録画が可能かどうかを判別する（Ｓ１００５）。すなわち、事前に設定されている記録形式が第１の記録形式である場合は、ステップＳ１００３へ移行し、第２の記録形式である場合は、以下のステップへと処理を続ける。ＤＶＤ記録／再生部５にセットされている記録媒体であるＤＶＤに、既に記憶されているデータが存在するかどうかを検出する（Ｓ１００６）。データが存在しない場合は、後述のステップＳ１０１２に続き、データが存在する場合は、該データを記憶可能な他の記録媒体、すなわち本実施例ではＨＤＤ記録／再生部６があるかどうかを判別する（Ｓ１００７）。他の記録媒体が存在しない場合は録画を中止する（Ｓ１０１３）。本実施例では他の記録媒体とはＨＤＤ記録／再生部６のことであるため、ＤＶＤに既に記憶されているデータ量と、ＨＤＤ記録／再生部６の空き領域を検出する（Ｓ１００９）。ステップＳ１００９で、検出された空き領域及びデータ量を元に、ＤＶＤに既に記憶されたデータの全てをＨＤＤ記録／再生部６にコピーできるかを判別し（Ｓ１０１０）、コピーできるとされた場合は、ＤＶＤに既に記憶されたデータの全てをＨＤＤ記録／再生部６に退避し（Ｓ１０１１）、ＤＶＤをＶＲモードにより初期化し（Ｓ１０１２）、録画を続行する（Ｓ１００３）。空き容量が足らずにコピーできないと判断された場合は、録画を中止する（Ｓ１０１３）。
【００２４】
次に、ＥＰＧを使用した録画予約時における記録再生装置の動作を、図３に基づいて説明する。ＥＰＧから所望の放送番組を選択し、録画予約を行う（Ｓ２００１）。選択した放送番組の著作権保護情報を、ＥＰＧから検出し、コピーワンスかどうかを判別する（Ｓ２００２）。ここで、著作権保護情報が検出されない場合は、そのまま録画予約設定を終了する（Ｓ２００３）。ステップＳ２００２にて放送番組がコピーワンスであると検出された場合、ＥＰＧによる録画予約の際に指定された記録形式を確認する（Ｓ２００４）。記録形式がＶＲモードであるかどうかを判別し（Ｓ２００５）、ＶＲモードである場合は、そのまま録画予約設定を終了する（Ｓ２００３）。ＶＲモードではない場合は、記録形式をＶＲモードに変更するためにはＤＶＤ記録／再生部５にセットされている記録媒体であるＤＶＤに既に記憶されたデータがあるかを判別し、ある場合、データの消去が必要かどうかを判別する（Ｓ２００６）。データが存在せず、消去の必要が無い場合は、後述のステップＳ２０１２に続き、データが存在する場合は、該データを記憶可能な他の記録媒体、すなわち本実施例ではＨＤＤ記録／再生部６があるかどうかを確認する（Ｓ２００７）。該データを記憶可能な他の記録媒体、すなわち本実施例ではＨＤＤ記録／再生部６があるかどうかを判別し（Ｓ２００８）、他の記録媒体が存在しない場合は録画を中止する（Ｓ２０１３）。本実施例では他の記録媒体とはＨＤＤ記録／再生部６のことであり、すなわち他の記録媒体が存在するとなるので、ＤＶＤに既に記憶されているデータ量と、ＨＤＤ記録／再生部６の空き領域を検出する（Ｓ２００９）。ステップＳ２００９で、検出された空き領域及びデータ量を元に、ＤＶＤに既に記憶されたデータの全てをＨＤＤ記録／再生部６にコピーできるかを判別し（Ｓ２０１０）、コピーできるとされた場合は、ＤＶＤに既に記憶されたデータの全てをＨＤＤ記録／再生部６に退避し（Ｓ２０１１）、ＤＶＤをＶＲモードにより初期化し（Ｓ２０１２）、録画予約設定を終了する（Ｓ２００３）。空き容量が足らずにコピーできないと判断された場合は、録画予約設定をキャンセルする（Ｓ２０１３）。
【００２５】
以上のように、本実施例における記録再生装置によれば、録画動作時若しくは予約設定時に著作権保護情報を検出し、この著作権保護情報と設定した記録形式を比較し、設定した記録形式が著作権保護情報により記録制限された放送番組の録画に適さないと判別された場合（本実施例ではＶｉｄｅｏモード）、自動的に著作権保護情報に対応した記録形式（本実施例ではＶＲモード）を設定することができ、これにより、ユーザが所望の番組の録画をする際に、自ら著作権保護情報を認識することなく録画失敗を防ぐことができる。また、事前に録画用にとユーザがセットした記録媒体に、既にデータが入っている場合、その記録媒体を使用しない別の記録／再生部に、既存のデータをコピーした後、記録媒体を初期化することにより、既存データの全てを保護しつつ、新たに録画をする放送番組の録画失敗を防ぐことができる。
【００２６】
以上、本発明の実施例を詳述したが、本発明は前記実施例に限定されるものではなく、本発明の要旨の範囲内で種々の変形実施が可能である。例えば、本実施例において、記録／再生部をＤＶＤ記録／再生部５及びＨＤＤ記録／再生部６としたが、双方をＤＶＤ記録／再生部としたり、双方をＨＤＤ記録／再生部としてもよい。また、複数の記録形式として、ＶｉｄｅｏモードとＶＲモードを実施例として説明したが、他の記録形式を用いても何ら問題ない。
【図面の簡単な説明】
【００２７】
【図１】本発明の実施例における、記録再生装置の構成を示すブロック図である。
【図２】同上、記録再生装置の録画直前における動作を示すフローチャート図である。
【図３】同上、記録再生装置の予約設定時における動作を示すフローチャート図である。
【符号の説明】
【００２８】
１  記録再生装置
５  ＤＶＤ記録／再生部（記録／再生手段）
６  ＨＤＤ記録／再生部（記録／再生手段）
７  ＥＰＧ取得／データスライス部（放送番組情報取得手段）
８  ＣＰＵ（制御手段）
８ａ  記録形式選択手段
８ｂ  著作権保護情報検出手段
８ｃ  録画手段
８ｄ  予約手段
【図１】
2007096864.tif 000003
【図２】
2007096864.tif 000004
【図３】
2007096864.tif 000005